(57)【特許請求の範囲】
【請求項１】
加熱調理器の上方に設けられ、上面に電気機器を載置可能な平面部を有する本体と、
前記本体の下面に設けられ、前記加熱調理器の上面と接触して前記本体の下面と前記加熱調理器の上面との間に間隙を設けて前記本体を支持する支持脚と、
本体上面の周縁または本体側面に設けられ、前記加熱調理器および前記電気機器が有する差込プラグが抜き差し可能であって、外部電源に電気的に接続されたプラグ受けと、
前記本体下面の周縁または前記本体側面に設けられ、前記本体の下面と前記加熱調理器の上面との間の前記間隙に送風する冷却ファンと、を備えたことを特徴とする載置台。
【請求項２】
前記本体に設けられ、前記冷却ファンの駆動を制御する制御手段と、前記制御手段に設けられ、前記プラグ受けから供給される電力を検知する電力検知手段とを備え、前記電力検知手段の検知電力があらかじめ設定された値を超えると、前記制御手段は前記冷却ファンを駆動させることを特徴とする請求項１に記載の載置台。
【請求項３】
前記本体に設けられ、前記冷却ファンの駆動を制御する制御手段と、前記本体の下面に設けられ、前記本体の温度を検知する温度検知手段とを備え、前記温度検知手段の検知温度があらかじめ設定された値を超えると、前記制御手段は前記冷却ファンを駆動させることを特徴とする請求項１または請求項２に記載の載置台。
【請求項４】
前記冷却ファンを複数有し、前記冷却ファンごとに前記本体の下面と前記加熱調理器の上面との間の前記間隙を区画する前記本体下面に取り付けられた風路構成リブを備えたことを特徴とする請求項１〜請求項３のいずれかに記載の載置台。
【請求項５】
前記加熱調理器は外部に排気するための排気口を上面に有し、前記冷却ファンは前記排気口を避けて前記本体の後方から前方に送風する向きに設けられたことを特徴とする請求項４に記載の載置台。
【請求項６】
前記本体は前記平面部の後方端部に前記平面部上面よりも上面が高く前記平面部下面よりも下面が高い隆起部が形成され、前記プラグ受けを前記隆起部の上面または側面に備え、前記冷却ファンを前記隆起部の下面に備えたことを特徴とする請求項１〜請求項５のいずれかに記載の載置台。
【請求項７】
前記冷却ファンが駆動している間は駆動している旨を報知する報知手段を備えたことを特徴とする請求項１〜請求項６のいずれかに記載の載置台。
【請求項８】
請求項１〜請求項７のいずれかに記載の載置台を備えたことを特徴とする加熱調理器セット。
【発明の詳細な説明】
【技術分野】
【０００１】
本発明は、主にオーブンレンジやガスオーブンなどの加熱調理器の上面に支持される載置台、ならびに載置台を備えた加熱調理器に関するものである。
【背景技術】
【０００２】
従来の加熱調理器では、加熱調理器の上部に若干（５ｍｍ以上）の隙間を介して天板を設け、この天板を着脱可能とすることにより、この天板上の温度を下げることができ、結果としてこの天板上に所望の品物を置くことができ、尚且つ筐体を汚したり傷つけたりすることのないものが提案されている。（例えば特許文献１参照）  
【先行技術文献】
【特許文献】
【０００３】
【特許文献１】特開２０００−２４３１号公報（段落００２４）
【発明の概要】
【発明が解決しようとする課題】
【０００４】
しかし従来の加熱調理器では、加熱調理器上部に設けた天板上に給電を必要とする電気機器を置くと、電気機器から壁などに設けられたコンセント差込口までの距離が遠くなる。そのため、電気機器の差込プラグがコンセントまで届かないことや、別途延長コードなどを用意する必要があり煩雑であるため加熱調理器の上部スペースの使い勝手が悪くなるという問題があった。また、加熱調理器や電気機器が過熱すると輻射や伝導等により天板温度も上昇するため、熱影響等を考慮すると置ける物が限られてしまい、これによっても加熱調理器の上部スペースの使い勝手が悪くなっていた。
【０００５】
そこで本発明は、載置された電気機器に対して煩雑さなく容易に電源を供給することができ、また加熱調理器や電気機器の過熱を抑制して使い勝手の良い上部スペースが得られる載置台および該載置台を備えた加熱調理器セットを提供することを目的とする。
【課題を解決するための手段】
【０００６】
本発明に係る載置台は、加熱調理器の上方に設けられ、上面に電気機器を載置可能な平面部を有する本体と、本体の下面に設けられ、加熱調理器の上面と接触して本体の下面と加熱調理器の上面との間に間隙を設けて本体を支持する支持脚と、本体上面の周縁または本体側面に設けられ、加熱調理器および電気機器が有する差込プラグが抜き差し可能であって、外部電源に電気的に接続されたプラグ受けと、本体下面の周縁または本体側面に設けられ、本体の下面と加熱調理器の上面との間の間隙に送風する冷却ファンと、を備える。
【発明の効果】
【０００７】
本発明に係る載置台によれば、載置台に外部電源、例えば家庭用のコンセント差込口からの電源供給を受けて、プラグ受けから上面に載置した電気機器に電力を再供給とすることができる。また、載置台と加熱調理器の間に通風して載置台を冷却することができる。これによって載置台上部スペースの使い勝手が向上する。
【図面の簡単な説明】
【０００８】
【図１】この発明の実施の形態１を示す載置台を備えた加熱調理器を前方から見た斜視図である。
【図２】この発明の実施の形態１を示す載置台を備えた加熱調理器を後方から見た斜視図である。
【図３】この発明の実施の形態１を示す載置台の排気口周辺を示すＢ−Ｂ’概略断面図である。
【図４】この発明の実施の形態１を示す載置台の冷却風路を示すＡ−Ａ’概略断面図である。
【図５】この発明の実施の形態１を示す載置台の冷却風路を示す透視斜視図である。
【図６】この発明の実施の形態１を示す載置台の冷却風路を示す上面透視図である。
【図７】この発明の実施の形態１を示す載置台の冷却風路の変形例を示す透視斜視図である。
【図８】この発明の実施の形態１を示す載置台の冷却風路の変形例を示すＣ−Ｃ’概略断面図である。
【図９】この発明の実施の形態１を示す載置台の冷却風路の変形例を示す上面透視図である。
【図１０】この発明の実施の形態１を示す載置台の制御ブロック図である。
【図１１】この発明の実施の形態１を示す載置台のフローチャートである。
【発明を実施するための形態】
【０００９】
実施の形態１．
本発明を実施する形態について図１〜図１１を用いて説明する。図１は、載置台９を備えた加熱調理器１００を前方から見た斜視図であり、図２は載置台９を備えた加熱調理器１００を後方から見た斜視図である。なお、本実施の形態１においては、加熱調理器１００の扉２が取り付けられている側を前、その逆側を後とする。
【００１０】
はじめに、加熱調理器１００の構成について図１および図２を用いて説明する。
本実施の形態１に係る加熱調理器１００は、図１に示すように外郭を形成する筐体１の前方に把持部８および操作パネル３を有する扉２が取り付けられている。筐体１の内部には、図示しない加熱源と、前面に開口部を有する図示しない加熱室があり、扉２は閉状態時に加熱室の開口部を覆うように取り付けられている。また、図２に示すように筐体１の後方にはコードを介して加熱調理器差込プラグ１５が設けられている。また、筐体１の後方上部には、加熱室と筐体１外とを連通する排気口１７が設けられている。
【００１１】
次に、加熱室について説明する。
加熱室は被加熱物を収容するための部屋であり、扉２を開閉することで使用者は加熱室内に被加熱物を収容することができる。また、加熱室内で生じた蒸気や煙やニオイなどは排気口１７から筐体１外へ排気される。
【００１２】
次に、加熱源について説明する。
加熱源は、加熱室に収容された被加熱物を加熱するための手段である。本実施の形態１で使用する加熱源としては例えばシーズヒータ、ガラス管ヒータなどの主に輻射効果により調理を実施する熱源や、誘導加熱、誘電加熱、ヒータに風を当てて対流加熱するコンベクション加熱、ガス火による加熱などが挙げられる。また、加熱源を特に限定せず、複数の加熱源を組み合わせて使っても良い。
【００１３】
次に、操作パネル３について説明する。
操作パネル３は、加熱調理器１００内に設けられた図示しない制御手段２６に指令を与えるものであり、使用者が操作パネル３で設定入力、操作することで加熱調理を実施することができる。操作パネル３は主にスタートキー４、取り消しキー５、選択キー６、表示手段７から構成される。選択キー６で選択された熱源や調理方法について、スタートキー４の信号をトリガーとして制御手段を介して加熱調理を実施する。表示手段７には運転状態や設定状態が表示される。調理を手動で止めたい場合や設置をやり直したい場合には取り消しキー５を押下することで、途中停止が可能となる。なお、本実施の形態１では操作パネル３は扉２に設けられているが、操作パネル３を筐体１に設けても良い。
【００１４】
次に、載置台９の構成について図１および図２を用いて説明する。なお、載置台９も加熱調理器１００と同様に、扉２に面している側を前、逆側を後とする。
図１に示すように、加熱調理器１００の上面には、載置台９が支持されている。載置台９は、上面に物を載置できる平面状の平面部と、平面部の後方端部に形成された隆起部からなる本体２４と、本体２４の下面に設けられた支持脚２３と、温度検知手段１８と、電力基板などからなる図示しない制御手段とを備えている。また、本体２４の隆起部にはプラグ受け１２、加熱調理器用プラグ受け１４、電源スイッチ１０、報知手段としての表示ＬＥＤ１１、冷却ファン１６ａ、１６ｂ、１６ｃ（以下、区別しないときは「冷却ファン１６」と呼ぶ）、載置台開口部２２、隆起部から導出され、コードを介して電源コンセントに抜き差し可能な電源接続部１３が備えられている。
【００１５】
次に、本体２４について説明する。
本体２４の平面部は、上に物を載せるために板状に形成されており、平らでかつ強度のある材質、例えばガラスやセラミックなどが用いられている。平面部に載せ置く物の例としては、調理の途中で参照できるように料理本や、味付けに使う調味料や、調理後の食品を盛り付けるための食器や、ミキサー、フードプロセッサー、トースターなどの調理向け電気機器等がある。なお、平面部は上面に載置した物が滑らないように上面に滑り止め加工が施されていても良い。
【００１６】
本体２４の隆起部は、平面部上面よりも高い箇所を有しており平面部上に載置したものが外へ落下することを防ぐ。隆起部上面は平面部上面と連続しており、本体２４の上面を形成している。また本実施の形態１では各部材、具体的には後述する電源スイッチ１０、表示ＬＥＤ１１、プラグ受け１２および加熱調理器用プラグ受け１４、冷却ファン１６を収容する役割も兼ねる。また、冷却ファン１６を設けるために隆起部は本体２４下面と通ずる空洞を有するように一部の箇所の下面が平面部下面よりも高く形成されている。なお、隆起部は平面部とは別材質としても良い。なお、本体２４は隆起部を有さない構成としてもよい。
【００１７】
次に、支持脚２３について説明する。
支持脚２３は本体２４の下面に設けられている。支持脚２３は加熱調理器１００の上面と接触する箇所であり、支持脚２３下部と加熱調理器１００の上面との摩擦で載置台９がずれることを防いでいる。つまり載置台９は支持脚２３に支持される格好で加熱調理器１００の上面に載置されている。これによって本体２４の下面と加熱調理器１００の上面との間には通風可能な間隔がある。
【００１８】
支持脚２３の材質としては、載置台９を載置するにあたり摩擦力を利用してずれを防止していることから、摩擦力が大きいので載置台９がよりずれにくくなるゴムを用いるのが望ましい。また、これに加えゴムはある程度の柔軟性を有するため加熱調理器１００の上面に多少の凹凸があっても載置台９を載置することができる。
【００１９】
また、支持脚２３は本体２４と加熱調理器１００の上面との間隔を保持する役割もある。ここで、本体２４と加熱調理器１００の上面との間隔があまりに離れていると、載置台９の安定性を欠くことになる。さらに間隔を大きく取ることで載置台９上の使用できるスペースが狭くなり使い勝手が悪くなる。そのため、本体２４と加熱調理器１００の上面との間には通風のための間隔があるが、該間隔はできるだけ狭いほうが良く、そのため支持脚２３の長さも通風可能な範囲でできるだけ短いものになるように実験等により長さを定めることが望ましい。
【００２０】
なお、本実施の形態１における載置台９は、多くの機種に対して使用できるように加熱調理器１００の上面に載置する形態を取ったが、あらかじめ特定機種に使用することがわかっていれば、アタッチメントとして支持脚２３を加熱調理器１００に固定して支持する支持脚２３と交換可能にしてもよい。この際の固定方法としては、加熱調理器１００側に何も取り付ける必要が無いように、支持脚２３にて加熱調理器１００を挟み込むことで載置台９を固定する固定方法が望ましい。なお、この際加熱調理器１００の前面と背面とを挟み込むのではなく、両側面を挟み込む形で固定すると扉２の開閉に対して支持脚２３が干渉することがないためより望ましい。
【００２１】
次に、図３を用いて加熱調理器１００の上面に載置台９を支持した際の載置台開口部２２の役割について説明する。
図３は図２の矢視Ｂ−Ｂ’の概略断面図である。載置台開口部２２は排気口１７の形状に合わせて形成されている。前述したように、支持脚２３のみでも十分に載置台９を支持することができるが、載置台開口部２２に排気口１７を差し込むように設置することで、より一層載置台９の位置がずれることを防止する効果がある。
【００２２】
次に、表示ＬＥＤ１１について説明する。
図１に示すように表示ＬＥＤ１１は本体２４の隆起部に設けられている。表示ＬＥＤ１１は、冷却中である場合にはＬＥＤが点灯するなどして、冷却ファン１６が稼働中であることを伝えるための手段である。また、温度検知手段１８が検出した温度が任意の温度よりも高温であれば、「高温注意」などの表示により注意喚起を実施する。
【００２３】
次に電源スイッチ１０について説明する。
図１に示すように電源スイッチ１０は本体２４の隆起部に設けられている。なお本体２４が隆起部を有さない場合には電源スイッチ１０は本体２４上面の周縁または側面に設けられる。電源スイッチ１０は、電源ＯＮ、電源ＯＦＦ、また冷却ファン１６を稼動させるモード（自動モード、手動モード）の選択が可能な３トグルスイッチとなっている。
【００２４】
次に、温度検知手段１８について説明する。
温度検知手段１８は本体２４下面に設けられ、一例としてサーミスタで構成される。温度検知手段１８は載置台９の温度や載置台９を冷やす冷却風の温度を検知し、検知した温度に基づいて後述する冷却ファン１６の制御や表示ＬＥＤ１１の点灯が行われる。
【００２５】
次に、電源接続部１３について説明する。
電源接続部１３は住居や業務用厨房の壁に設けられたコンセントから電力を取得する。つまり、電源接続部１３をコンセントに差し込むことにより、プラグ受け１２および加熱調理器用プラグ受け１４に電力が供給される。電源接続部１３に付随するコードは、距離が遠くても届くように、全長５ｍ程度に長めの寸法を取ってある。
【００２６】
次に、プラグ受け１２および加熱調理器用プラグ受け１４について説明する。
プラグ受け１２および加熱調理器用プラグ受け１４は、載置台９を支持する加熱調理器１００および載置台９上に載置された電気機器へ給電するためのものであり、加熱調理器１００および電気機器の差込プラグをプラグ受け１２や加熱調理器用プラグ受け１４に差し込むことで、加熱調理器１００や電気機器への給電が行われる。
【００２７】
プラグ受け１２の構成を詳しく説明すると、プラグ受け１２にはそれぞれプラグ先端の栓刃を厚さ方向の両側から弾性的に挟持する一対のばね片から成る刃受部でプラグ受け１２から挿通されるプラグの一対の栓刃を受けるようになっている。刃受部は、長尺の金属板から成る導電板の長手方向に沿って設けられており、刃受部は、導電板の端子部に電線コードの芯線がかしめ固定されることで外部電源と電気的に接続されている。なお加熱調理器用プラグ受け１４も同様の構成となっている。
【００２８】
なお本体２４が隆起部を有さない場合にはプラグ受け１２および加熱調理器用プラグ受け１４は本体２４上面の周縁または側面に設けられる。隆起部に設ける場合は隆起部の上面または側面に設けるが、図１に示すようにプラグ受け１２は隆起部上面に載置台９の前方に向いて設けられることが好ましい。これは、ミキサーやフードプロセッサーなどの軽量な機器は、必要な時にのみ載置台９の上部において使用したいという場合に、前面を向けて設置されたプラグ受け１２から電源供給を受けることが可能となるためである。
また、図２に示すように加熱調理器用プラグ受け１４は載置台９の後方に向いて設けられていることが好ましい。これは、本実施の形態１がそうであるように、通常、加熱調理器１００用差込プラグ１５は加熱調理器１００の背面に設置されている場合が多いため、利便性を考慮して隆起部の後方に設けられている。なお、プラグ受け１２と加熱調理器用プラグ受け１４とを兼用しても良い。
【００２９】
次に、冷却ファン１６について説明する。まず、図４を用いて冷却ファン１６による冷却風の流れについて説明する。
図４は図２の矢視Ａ−Ａ’の概略断面図である。図４に矢印で示す冷却風１９は冷却ファン１６による風の流れを示している。
冷却ファン１６は本体２４と加熱調理器１００の上面との間に送風し載置台９を冷却するためのものである。冷却ファン１６は電源接続部１３から得られる電力を制御手段を介して供給することで回転し、載置台９を冷却する。具体的には、冷却ファン１６から吸気された外気温度と略等しい冷却風１９が本体２４の下面と加熱調理器１００の上面との間を通り、加熱調理器１００内部の加熱源などにより温度上昇した筐体１の上部を冷却することで、ひいては加熱調理器１００からの輻射熱等により温度が上昇した載置台９を低温に保つことが可能となる。なお、この際加熱調理器１００の上面内側には断熱材が設けられているため、加熱室は冷却風によって極端に温度が低下することがない。そのため加熱室内の調理に影響を与えることなく効率的に載置台９を冷却することが可能となる。なお、冷却ファン１６は軸流ファンに限らずシロッコファン等を用いてもよい。
【００３０】
次に、冷却ファン１６の配置について説明する。ここで、図４に示すように本体２４の隆起部は本体２４の下面と通ずる空洞が形成されている。冷却ファン１６は空洞の内壁、換言すると平面部下面より高い隆起部の下面に設けられている。傾斜して設けている理由としては、通常、加熱調理器１００の後方は建物の壁や戸棚の壁などに面している場合が多いため、冷却ファン１６が壁にくっつかないようにするためである。
なお本体２４が隆起部を有さない場合には表示ＬＥＤ１１は本体２４下面の周縁または側面に設けられるが、冷却ファン１６を隆起部の下面に設け、本体２４の下面と加熱調理器１００の上面との間に風を通すことで、本体２４と加熱調理器１００の上面との間隔が冷却ファン１６の寸法に影響されることがなくなるので本体２４と加熱調理器１００の上面との間隔をより狭くすることができる。
【００３１】
次に、冷却風路の分岐について説明する。図５、図６は冷却風路の詳細を示しており、図５は透視斜視図、図６は上面透視図である。複数装着された冷却ファン１６ａ、１６ｂ、１６ｃはそれぞれ冷却風１９を載置台９後方から吸い込み、載置台９の下面へ導入する。この際、背面側から吸気をすることで、壁が変色するなど、背面に置かれたものへの悪影響を与えずに冷却することが可能となる。
【００３２】
図５に示す風路構成リブ２０は本体２４の下面に設けられている。なお、風路構成リブ２０は加熱調理器１００上面に接触させないため支持脚２３よりも短く形成されている。複数の冷却ファン１６で吸い込まれた冷却風１９を風路構成リブ２０を利用して極力分散することで、載置台９の広い領域を冷却するよう風路を構成する。具体的には、１６ａ背面から冷却風１９ａを導入し、筐体１を前方から見た場合に右側に抜けるように風路構成リブ２０にて風路を区画する。同様に、１６ｂは中央に冷却風１９ｂが、１６ｃは左側に冷却風１９ｃが抜けるよう風路構成リブ２０にて風路を区画することで、載置台９の広範な範囲を冷却することが可能となり、載置台９のうち一部分の温度が高くなるなどの不具合を防止することができる。また風路形成リブ２０は載置台９の機械的強度向上にも有効となる。
【００３３】
ここで、図５中に示す排気口１７から伸びる矢印は排気風路から流れる排気風２１である。図５に示すように、冷却ファン１６ｃは排気口１７を避けた方向に向けて設置され、かつ風路構成リブ２０で冷却風路と排気風路とを区画することで、排気口１７から排出される蒸気や油を含んだ熱風が載置台９下部に導入しないようにすることができるため、載置台９の冷却効果の低下や油汚れ付着、結露防止などの効果を奏することが可能となる。
【００３４】
次に、冷却風路の変形例を図７〜図９を用いて説明する。
図７は冷却風路の変形例を示す載置台９の透視斜視図である。図８は図７のＣ−Ｃ’概略断面図、図８は冷却風路の変形例を示す載置台９の上面透視図である。
【００３５】
冷却ファン１６ａ、１６ｂ、１６ｃは背面側に冷却風を排出する方向にファンを回転させ、載置台９の下面、かつ加熱調理器１００の上面との間を、載置台９の前方あるいは側方から冷却風１９を吸い込み、背面に冷却風１９を吐き出す。このように構成することにより、筐体１を冷却し、温まった風が筐体１の前方側、すなわち使用者が居る可能性が高い方向に流れていってしまうことがなく、使用者への不快感を低減することが可能となる。
【００３６】
ここで、冷却ファン１６ｃは排気口１７に向けて設置される。これは、排気口から排気される熱風は、１００℃を超えるような高温で排出されたり、蒸気や油も含んでいたりするため、直接あたると家具をいためたり、不快な思いをする場合があるため、温度や濃度を抑制の必要があるためである。
本発明の図１１で示すように、冷却ファン１６ｃから排出された冷却後の風と排気風２１が混合されることにより、排気後の温度が抑制されるため、高温の排気風２１や蒸気で家具を傷めるような不具合を抑制することができる。
なお、図５〜６に示した冷却風路と図７〜９に示した冷却風路は使用者によって任意に切り替えが可能な構成としてもよい。この場合は、例えば冷却ファン１６が載置台９から着脱可能な構成としていれば冷却ファンの向きを逆にして取り付けることで送風方向を逆にすることができ、さらに風路形成リブ２０を長さが異なるものに差し替えることで排気口１７からの排気が、冷却ファン１６からの送風と混合しないように区画するか混合するように区画するかを選択することが出来る。
【００３７】
次に、載置台９の制御手段２６が行う制御動作を図１０を用いて説明する。
図１０は載置台９の制御ブロック図である。
載置台９に設けられた制御手段２６は電源キー１０、表示ＬＥＤ１１、冷却ファン１６、温度検知手段１８、電力検知手段２５および計時手段２７が電気的に接続されている。また、電源キー１０は電源接続部１３が電気的に接続されており、電力検知手段２５はプラグ受け１２、加熱調理器用プラグ受け１４および過電流遮断機２８が電気的に接続されている。なお、制御手段２５はたとえばマイコンなどにより構成されており、同一マイコン内に制御手段２６、電力検知手段２５および計時手段２７を有していてもよい。
次に、制御手段２６が行う制御について説明する。電源接続部１３から電源が供給されると電源入切手段に相当する電源キー１０を介して制御手段２５に通電される。ただし、電源キー１０がＯＦＦのときは制御手段２６には通電されない。通電された制御手段２６は、冷却ファン１６を駆動させ、計時手段２７から冷却ファン１６駆動時間の情報を取得し、この情報に基づいて冷却ファン１６の制御を行う。また、電源キー１０が後述する自動モードに設定されていた場合は、温度を検知する温度検知手段１８と、プラグ受け１２および加熱調理器用プラグ受け１４に電力が供給されているか否かを検知する電力検知手段２５とから情報を取得し、この情報に基づいて冷却ファン１６の制御を行う。いずれの場合も制御手段２６は冷却ファン１６駆動中は放置手段としての表示ＬＥＤ１１に通電し、冷却ファン１６駆動中である旨を報知する。
プラグ受け１２および加熱調理器用プラグ受け１４の前段にはヒューズなどの過電流遮断機２８があり、電力検知手段２５が検知した電流値が過大になった場合、たとえば各コンセントタップの合計使用電力が１５００Ｗを超えると電流を遮断する。
【００３８】
次に、載置台９において、制御手段２６の制御プログラムによる冷却ファン１６の吹き出し開始から終了までの動作を図１１に示すフローチャートの各ステップに基づいて説明する。
【００３９】
（Ｓ１）
図１１は冷却ファン１６にて動作時の冷却シーケンスのフローチャートである。
電源キー１０により選択された電源キーフラグにより、使用者が選んだのはスイッチＯＦＦか自動モードか手動モードかのフラグを立てる。
【００４０】
（Ｓ２）
次に、ステップＳ２にて制御手段２６は、運転フラグがスイッチＯＦＦであるか否かを判断する。スイッチＯＦＦである場合は、冷却シーケンスを終了する。
【００４１】
（Ｓ３）
次に、ステップＳ２にて制御手段２６が運転フラグがスイッチＯＦＦでないと判断すると、ステップＳ３にて制御手段２６は運転モードが手動モードであるか否かを判断する。
【００４２】
（Ｓ４）
次に、制御手段２６が運転モードが手動モードであると判断すると、制御手段２６は冷却ファン１６を駆動させる。また、制御手段２６は表示ＬＥＤ１１にその旨報知させる。
【００４３】
（Ｓ５）
手動モードで運転中でも、切り忘れ防止機能として、計時手段により冷却シーケンス開始からの経過時間Ｔｉを計る。そして、制御手段２６は経過時間があらかじめ設定された任意時間Ｔｉｓを経過したか否かを判断する。経過していない場合はステップＳ１へ戻る。任意時間Ｔｉｓを経過した場合には、ステップＳ６に移行する。
【００４４】
（Ｓ６）
次に、制御手段２６が運転モードが手動モードでもないと判断するか、またはステップＳ５で任意時間Ｔｉｓを経過すると、制御手段２６は温度検知手段１８が検出した載置台９の温度Ｔがあらかじめ設定された閾値温度ＴＳよりも大きいか否かを判断する。なお、閾値温度ＴＳは例えば載置台９上に載置された調理本や調味料が熱の影響により変質しない温度、載置された電気機器が熱の影響なく駆動できる温度などを設定する。
【００４５】
（Ｓ７）
ステップＳ６で温度Ｔが閾値温度ＴＳよりも小さいと、制御手段２６はプラグ受け１２および加熱調理器用プラグ受け１４から供給される電力を検知する電力検知手段２５が検知した値があらかじめ設定された所定の閾値電力ＷＳよりも大きいか否かを判断する。ここで、例えば閾値電力ＷＳを加熱調理器１００の加熱源であるヒータの入力値、たとえば６００Ｗと同等にしておけば、一定以上の加熱能力を持つヒータが運転された場合のみ冷却ファン１６を稼動するなどの運転が可能となるため、過剰な冷却を防ぎ、加熱効率の向上や節電につながる効果もある。
【００４６】
（Ｓ８）
ステップＳ６で温度Ｔが閾値温度ＴＳよりも大きい、またはステップＳ７で供給される電力Ｗが所定の閾値電力ＷＳよりも大きいと、制御手段２６は冷却ファン１６を駆動させる。また、制御手段２６は表示ＬＥＤ１１にその旨報知させる。そしてその後ステップＳ１へ戻る。
【００４７】
（Ｓ９）
ステップＳ８にて供給される電力Ｗが所定の閾値電力ＷＳよりも小さいと、制御手段２６は冷却ファン１６を停止させる。また、制御手段２６は表示ＬＥＤ１１にその旨報知させる。その後、冷却シーケンスを終了する。
【００４８】
以上のように、本実施の形態１に係る載置台９は、載置台９上に物が置ける利便性に加え、電源接続部１３、プラグ受け１２および加熱調理器用プラグ受け１４を設けることで、電源接続部１３を介して外部電源、例えば家庭用の電源コンセントからの電源供給を受けて、載置台９上に載置される電気機器や載置台９を支持する加熱調理器１００へ電源供給をプラグ受け１２から行うことができ、載置台９上に載置した電気機器とプラグ受け１２との距離が該電気機器と壁に設けられたコンセントとの距離に比べて遥かに近くなるため、電気機器に対して煩雑さなく容易に電源を供給することができる。
【００４９】
また、例えば、昨今の節電要求によって、待機電力がかかる電気機器などに対しては、使用者が日頃から該電気機器を使用しないときは差込プラグをこまめに抜くことがあると考えられる。その際、壁に設けられたコンセントは足元の屈まなければいけないような位置に設けられていることに比べて、一般にオーブンなどの加熱調理器１００はキッチン棚などを使って扉２の開閉がしやすいように使用者が立って使える位置に設けられている。従って本実施の形態１に係る載置台９も使用者が立って使える位置にあるため、差込プラグの抜き差し作業時に使用者が屈む姿勢をとることによる負担を軽減することができる。
なお、プラグ受け１２を複数設けることで、例えばトーストでパンを焼きながら、ミキサーで野菜ジュースを作りたい、という場合にも対応が可能となる。この際にも、ミキサーを調理後差し込みプラグを抜いて洗う場合にコンセントの抜き差し作業を使用者が立ったまま行うことができるので、使用者への負担を軽減することができる。
【００５０】
また、本体２４と加熱調理器１００の上面との間に通風可能な間隔を有するように支持脚２３で本体２４を支持し、冷却ファン１６にて該間隔に送風することで載置台９を冷却している。これによって、冷却効果は飛躍的に向上することとなるため、加熱調理器１００からの輻射熱や電気機器からの熱伝導による影響を考慮することなく載置台９上に物を置くことができるので、より使い勝手よく載置台９上のスペースを使用することができる。
【００５１】
また、載置台９が有する制御手段２６は、使用者が手動で冷却ファン１６のＯＮ／ＯＦＦを切り替える手動モードの他に、自動で冷却ファン１６を駆動させる自動モードを備えたことで、安全性等の観点に基づき必要な時だけ冷却ファン１６を駆動させることができるので、使用者による冷却ファン１６のＯＮ／ＯＦＦ切り替えの負担を無くし、適切に載置台９の冷却を行うことができる。また、切り替え忘れて冷却ファン１６が常時ＯＮになることもないので消費電力を減らすことができる。
【００５２】
また、本実施の形態１ではプラグ受け１２および加熱調理器用プラグ受け１４から供給される電力を検知する電力検知手段２５を備え、各プラグ受け１２および加熱調理器用プラグ受け１４毎に供給される電力があらかじめ設定された閾値電力、たとえば加熱調理器１００の加熱源であるヒータの入力値、たとえば６００Ｗ以上の電力が供給されると制御手段２６が冷却ファン１６へ電力を供給する。ここで、制御手段２６が冷却ファン１６へ電力を供給する閾値電力はプラグ受け１２および加熱調理器用プラグ受け１４から供給されるすべての電力の合計値を基にヒューズなどの過電流遮断機が電力を遮断するための閾値電力、たとえば１５００Ｗ、とは別に設定された値である。これによって、電力消費の多い、つまり過熱による熱の影響が大きい加熱調理器１００や電気機器が駆動した場合のみ冷却ファン１６が駆動するため、冷却ファン１６を常時駆動させるものと比べて節電効果がある。
なお、この場合、該効果を発揮するためには使用者に載置台９が有する加熱調理器用プラグ受け１４に加熱調理器差込プラグ１５を差し込んでもらう必要があるため、加熱調理器用プラグ受け１４が加熱調理器１００に対応していることや該効果を発揮できるということを文字や図形等で強調しておくと良い。
【００５３】
また、本実施の形態１では自動モードで動かす条件として、載置台９の温度を検知する温度検知手段１８を備え、例えば温度検知手段１８が載置台９上に載置された調理本や調味料が熱の影響により変質しない温度や載置された電気機器が熱の影響なく駆動できる温度を超えた場合に制御手段２６が自動で冷却ファン１６へ電力を供給し駆動させ、温度が低下するまで運転を継続させる。これによって載置台９の温度が高い状態、つまり加熱調理器１００や電気機器の過熱による調理本や調味料の変質や熱影響によって電気機器の動作不良が起こる可能性のある状態でのみ冷却ファン１６が駆動するので、過剰な冷却を防ぐため加熱効率が向上し、さらに冷却ファンを常時駆動させるものと比べて節電効果がある。
【００５４】
また、複数の冷却ファン１６を設け、さらに本体２４下部に設けた風路構成リブ２０で冷却風路を区画することで、複数の冷却ファン１６で吸い込まれた冷却風を極力分散することで載置台９の広い領域を冷却するような冷却風路を構成することができる。
【００５５】
また、載置台９を上面に排気口１７を有する加熱調理器１００に設けた状態において、冷却ファン１６を排気口１７を避けて載置台９後方から前方または側方またはその両方のどれかへ送風する向きに設けることで、載置台９の背面近傍にあるもの、例えば建物の壁や戸棚の壁などへ悪影響を与えずかつ載置台９の冷却効果の低下や油汚れ付着、結露防止などの効果を奏することが可能となる。
【００５６】
また、載置台９を筐体１上部に設置した状態において、載置台９前方または側方またはその両方から冷却風１９を吸気し、後方へ冷却風１９が排気されるように風路構成リブ２０で冷却風路を区画し、冷却ファン１６を設けることで、背面側に冷却後の風が出るため、筐体１を冷却した後の温まった風が筐体１の前方側、すなわち使用者が居る可能性が高い方向に流れることがないので、使用者に不快感を与えることを低減することが可能となる。また、この場合は、冷却ファン１６から排出された冷却風１９と排気口１７の排気風２１が混合するように冷却ファン１６を排気口１７に向けて設置することで、排気後の温度が抑制されるため、高温の排気や上記で家具を傷めるような不具合を抑制することができる。
【００５７】
また、平面部の後方端部に隆起部を形成し、冷却ファン１６を隆起部の下面に設け、本体２４の下面と加熱調理器１００の上面との間に風を通すことで、本体２４と加熱調理器１００の上面との間隔が冷却ファン１６の寸法に影響されることがなくなるので本体２４と加熱調理器１００の上面との間隔をより狭くすることができ、載置台の安定性が増して載置台上の使用できるスペースもより広くなる。なお、他に隆起部に設けられる電源スイッチ１０、表示ＬＥＤ１１、プラグ受け１２および加熱調理器用プラグ受け１４は隆起部の上面に設けられており、冷却ファン１６の風との干渉を避けている。
【００５８】
また、本実施の形態１で説明した載置台９をあらかじめ特定のレンジ調理とオーブン調理とを組み合わせる加熱調理器１００とセットで使用することが想定されている場合は、レンジ調理時はオーブン調理時に比べ加熱調理器１００外への熱漏洩が少ないため、レンジ調理時はオーブン調理時に比べ冷却ファン１６の送風量を少なくして省エネを図ることが出来る。例えばレンジ調理時の消費電力１０００Ｗ、オーブン調理時の消費電力６００Ｗの加熱調理器１００とセットで使用することが想定されているならば、電力検知手段２５が６００Ｗを検知すると冷却ファン１６を送風量を大きくし、１０００Ｗを検知すると送風量を小さくすることで、消費電力は大きいが送風量は小さいという一見相反する要求に対しても細かく対応することが出来る。
【００５９】
また、冷却ファン１６の稼動中には表示ＬＥＤ１１により報知しているため、載置台９が高温の可能性があることへの注意喚起になったり、ファン音が鳴り続けていることへの不安感を払拭したりする効果がある。
また、電源キー１０により、強制的に冷却を打ち切りたい場合などに緊急ＯＦＦが可能となるため、省エネやファンに物が挟まった場合などの緊急停止時に対応可能となる効果がある。
【符号の説明】
【００６０】
１  筐体、２  扉、３  操作パネル、４  スタートキー、５  取り消しキー、６  選択キー、７  表示手段、８  把持部、９  載置台、１０  電源キー、１１  表示ＬＥＤ、１２  プラグ受け、１３  電源接続部、１４  加熱調理器用プラグ受け、１５  加熱調理器差込プラグ、１６  冷却ファン、１７  排気口、１８  温度検知手段、１９  冷却風、２０  風路形成リブ、２１  排気風、２２  載置台開口部、２３  支持脚、２４  本体、２５  電力検知手段、２６  制御手段、２７  計時手段、２８  過電流遮断機、１００  加熱調理器。
【図１】
0005403032.tif 000002
【図２】
0005403032.tif 000003
【図３】
0005403032.tif 000004
【図４】
0005403032.tif 000005
【図５】
0005403032.tif 000006
【図６】
0005403032.tif 000007
【図７】
0005403032.tif 000008
【図８】
0005403032.tif 000009
【図９】
0005403032.tif 000010
【図１０】
0005403032.tif 000011
【図１１】
0005403032.tif 000012